(57)【要約】【課題】  簡単且つ確実に三角形状の非粘着部を形成することができる折返し機能付きテープカッターを提供する。【解決手段】  第１カッター刃部材３と第２カッター刃部材４とからカッター刃部材２を構成し、第２カッター刃部材４が粘着テープＮの切断中に自動的に折り返されるようになっている。【選択図】  図２
2006312531.tif 000002
【特許請求の範囲】
【請求項１】
粘着テープ（Ｎ）の切断端の角部のみを折り返して三角形状の非粘着部（Ｏ）を形成する折返し機能付きテープカッターにおいて、
粘着テープ（Ｎ）のロールを保持するテープカッター本体（１）と、
該テープカッター本体（１）に支持され、テープカッター本体（１）に対し、引き出される粘着テープ（Ｎ）の粘着面と直交する方向（Ｐ）に相対変位可能な第１カッター刃部材（３）と、
該第１カッター刃部材（３）に回転可能に支持され、第１カッター刃部材（３）の刃先（３ａ）とで一体的に構成される刃先（４ａ）を有し、該刃先（４ａ）が第１カッター刃部材（３）の刃先（３ａ）と揃う方向（Ｒ）に付勢される第２カッター刃部材（４）と、
前記テープカッター本体（１）に相対変位可能に支持され、一方向（Ｔ）への変位に伴い、前記第２カッター刃部材（４）を付勢に抗して折り返す方向（Ｓ）に直接又は間接に作用する第１操作部材（１０）と、
該第１操作部材（１０）に対し、第１操作部材（１０）が前記一方向（Ｔ）へ変位するよう付勢する付勢手段と、
前記一方向（Ｔ）へ変位した第１操作部材（１０）を反対方向（Ｕ）へ変位させて待機位置に復帰させる復帰手段とを備えてなり、
前記第１カッター刃部材（３）は、前記付勢手段の付勢に抗して前記第１操作部材（１０）を前記待機位置に維持させておくべく、第１操作部材（１０）に係合する係合部（３ｄ）を備えると共に、
該係合部（３ｄ）は、第１カッター刃部材（３）が前記方向（Ｐ）へ変位することによって第１操作部材（１０）との係合を解除するよう構成されてなることを特徴とする折返し機能付きテープカッター。
【請求項２】
前記第１カッター刃部材（３）に回転可能に支持され、前記第１操作部材（１０）の一方向（Ｔ）への変位に伴って押動されることにより、前記第２カッター刃部材（４）を付勢に抗して折り返す方向（Ｓ）に回転する第２操作部材（１１）を備える請求項１に記載の折返し機能付きテープカッター。
【請求項３】
前記第１操作部材（１０）に作動的に連結されるリンク部材（１５）と、
該リンク部材（１５）上に配置され、第１操作部材（１０）側へ付勢作用を生じさせる第１弾性部材（１７）と、
前記テープカッター本体（１）に相対変位可能に支持され、前記第１弾性部材（１７）と接触可能にして前記リンク部材（１５）に作動的に連結される部位（１８ａ）を有するレバー部材（１８）と、
該レバー部材（１８）を元位置に復帰させるための第２弾性部材（１９）と、
前記部位（１８ａ）が前記第１弾性部材（１７）を弾性変位させるよう前記レバー部材（１８）を操作した位置で、該レバー部材（１８）を係脱可能に係止する係止部（２３）とを備える請求項１又は２に記載の折返し機能付きテープカッター。
【請求項４】
前記係止部（２３）は、前記リンク部材（１５）の変位に伴って押し込まれるよう、テープカッター本体（１）の表面から出退自在に構成される請求項３に記載の折返し機能付きテープカッター。
【発明の詳細な説明】
【技術分野】
【０００１】
本発明は、布テープ、紙テープ、ビニールテープ、セロハンテープ、マスキングテープ等の粘着テープであって、ロール状に巻回された粘着テープを引き出して切断する機能は勿論のこと、切断端の角部のみを折り返して三角形状の非粘着部を形成することができる機能を有する折返し機能付きテープカッターに関する。
【背景技術】
【０００２】
従来より、ロール状に巻回された粘着テープを引き出してカッター刃で切断する際、切断端を全体的に折り返すことにより、幅方向に沿って非粘着部（タブ）を形成する折返し機能付きテープカッターは周知である（特許文献１〜３）。
【０００３】
しかしながら、このようなテープカッターにあっては、貼ったテープを簡単に剥がせるという利点があるものの、それが時として災いすることもあるという理由から、切断端の角部のみを折り返して三角形状の非粘着部を形成する折返し機能付きテープカッターが提案されている（特許文献４）。
【０００４】
特許文献４に係る折返し機能付きテープカッターは、図１１に示す如く、台形状の切り欠きを有してテープカッター本体に固着される固定刃５０ａと、該切り欠きに配置され、蝶番５１によって固定刃５０ａに回転可能に連結され、且つねじりバネ５２によって固定刃５０ａと面一となるように付勢される可動刃５０ｂとからカッター刃５０を構成したことが特徴であり、一直線となっている固定刃５０ａ及び可動刃５０ｂの両刃先に跨って切断端が付着している粘着テープに対し、同図（ロ）に示す如く、可動刃５０ｂを指で後方に押し込むと、粘着テープ５３の切断端の角部５３ａが折り返され、同図（ハ）に示す如く、粘着テープ５３の先端に三角形状の非粘着部５３ｂが形成される。
【０００５】
【特許文献１】特開平８−１８８３２６号公報
【特許文献２】特開平９−２５０４５号公報
【特許文献３】特開平１０−２５０９０４号公報
【特許文献４】特開２０００−２４７５３２号公報
【発明の開示】
【発明が解決しようとする課題】
【０００６】
しかしながら、上記特許文献４に係る折返し機能付きテープカッターは、折り返しの作業を人が行わなければならないため、煩雑であるばかりでなく、可動刃５０ｂの押し込み途中で粘着テープ５３の弾性により切断端が可動刃５０ｂの刃先から離れ、折り返しの失敗が頻発しやすいという欠点がある。
【０００７】
そこで、本発明は、上記問題に鑑みてなされたもので、簡単且つ確実に三角形状の非粘着部を形成することができる折返し機能付きテープカッターを提供することを課題とするものである。
【課題を解決するための手段】
【０００８】
上記課題を解決する本発明は、粘着テープＮの切断端の角部のみを折り返して三角形状の非粘着部Ｏを形成する折返し機能付きテープカッターにおいて、粘着テープＮのロールを保持するテープカッター本体１と、該テープカッター本体１に支持され、テープカッター本体１に対し、引き出される粘着テープＮの粘着面と直交する方向Ｐに相対変位可能な第１カッター刃部材３と、該第１カッター刃部材３に回転可能に支持され、第１カッター刃部材３の刃先３ａとで一体的に構成される刃先４ａを有し、該刃先４ａが第１カッター刃部材３の刃先３ａと揃う方向Ｒに付勢される第２カッター刃部材４と、前記テープカッター本体１に相対変位可能に支持され、一方向Ｔへの変位に伴い、前記第２カッター刃部材４を付勢に抗して折り返す方向Ｓに直接又は間接に作用する第１操作部材１０と、該第１操作部材１０に対し、第１操作部材１０が前記一方向Ｔへ変位するよう付勢する付勢手段と、前記一方向Ｔへ変位した第１操作部材１０を反対方向Ｕへ変位させて待機位置に復帰させる復帰手段とを備えてなり、前記第１カッター刃部材３は、前記付勢手段の付勢に抗して前記第１操作部材１０を前記待機位置に維持させておくべく、第１操作部材１０に係合する係合部３ｄを備えると共に、該係合部３ｄは、第１カッター刃部材３が前記方向Ｐへ変位することによって第１操作部材１０との係合を解除するよう構成されてなることを特徴とする。
【０００９】
上記構成によれば、ロールから引き出された粘着テープＮを切断する前の状態では、第１カッター刃部材３、第２カッター刃部材４及び第１操作部材１０は、それぞれ復帰方向の位置（待機位置）にある。即ち、第１カッター刃部材３は、粘着テープＮの粘着面と直交する方向のうち、粘着面側の方向の位置にあり、第２カッター刃部材４は、その刃先４ａが第１カッター刃部材３の刃先３ａと揃う方向Ｒの位置にあり、第１操作部材１０は、一方向Ｔと反対方向Ｕの位置にある。第１操作部材１０が待機位置に維持されるのは、たとえ付勢手段による一方向Ｔへの付勢があったとしても、第１操作部材１０が第１カッター刃部材３の係合部３ｄと係合して、変位不能だからである。
【００１０】
この状態から粘着テープＮの切断を第２カッター刃部材４から開始すると、第２カッター刃部材４は待機位置にあるため、粘着テープＮの切断が円滑になされていき、そして、切断が進み、第１カッター刃部材３の刃先３ａにかかると、第１カッター刃部材３は、粘着テープＮからの反力により、粘着テープＮの粘着面と直交する方向Ｐに変位する。すると、第１カッター刃部材３の係合部３ｄと第１操作部材１０との係合が解除され、これにより、第１操作部材１０は、付勢手段により一方向Ｔへ変位する。
【００１１】
そして、第１操作部材１０が一方向Ｔへ変位すると、第２カッター刃部材４が折り返す方向Ｓに回転して折り返され、そのため、粘着テープＮのうちの既に切断されている部分が同時に折り返され、非粘着部Ｏが形成されることとなる。一方、さらに粘着テープＮの切断が進み、第１カッター刃部材３の刃先３ａを以て全切断される。
【００１２】
ここで、第１操作部材１０が一方向Ｔへ変位すると、今度は復帰手段の作用により、反対方向Ｕへ変位し、元の待機位置に復帰する。また、第１操作部材１０が復帰すると、第２カッター刃部材４も付勢により元の待機位置に復帰して第１カッター刃部材３の刃先３ａと揃う状態になる。しかも、この際、第１カッター刃部材３は、粘着テープＮからの反力から開放されて待機位置に復帰しているので、第１操作部材１０は、第１カッター刃部材３の係合部３ｄと再び係合し、粘着テープＮの次の切断が可能となる。
【００１３】
また、本発明は、前記第１カッター刃部材３に回転可能に支持され、前記第１操作部材１０の一方向Ｔへの変位に伴って押動されることにより、前記第２カッター刃部材４を付勢に抗して折り返す方向Ｓに回転する第２操作部材１１を備えるようにしてもよい。
【００１４】
この構成によれば、第１操作部材１０が一方向Ｔへ変位すると、第２操作部材１１が押動されて折り返す方向Ｓに回転し、これにより、第２カッター刃部材４が折り返す方向Ｓに回転して折り返される。第１操作部材１０からの力の向きを変えて第２カッター刃部材４の回転変位を円滑にするための手段として、第２操作部材４が設けられる。
【００１５】
また、本発明は、前記第１操作部材１０に作動的に連結されるリンク部材１５と、該リンク部材１５上に配置され、第１操作部材１０側へ付勢作用を生じさせる第１弾性部材１７と、前記テープカッター本体１に相対変位可能に支持され、前記第１弾性部材１７と接触可能にして前記リンク部材１５に作動的に連結される部位１８ａを有するレバー部材１８と、該レバー部材１８を元位置に復帰させるための第２弾性部材１９と、前記部位１８ａが前記第１弾性部材１７を弾性変位させるよう前記レバー部材１８を操作した位置で、該レバー部材１８を係脱可能に係止する係止部２３とを備えるようにしてもよい。
【００１６】
この構成によれば、リンク部材１５、第１弾性部材１７、レバー部材１８、係止部２３で前記付勢手段が構成され、リンク部材１５、レバー部材１８、第２弾性部材１９で前記復帰手段が構成される。即ち、第１操作部材１０は第１カッター刃部材３の係合部３ｄと係合しているため、レバー部材１８を操作すると、リンク部材１５は変位せず、該リンク部材１５上で第１弾性部材１７が弾性変位させられる。そうすると、第１操作部材１０が前記一方向Ｔへ変位し得る状態（第１弾性部材１７の付勢抑制状態）になる。
【００１７】
この状態から粘着テープＮの切断を開始していき、第１カッター刃部材３の刃先３ａにかかると、上述の如く、粘着テープＮの反力により、第１カッター刃部材３が変位し、これにより、第１操作部材１０と第１カッター刃部材３の係合部３ｄとの係合が外れ、このとき、第１弾性部材１７の付勢抑制状態が解除され、該第１弾性部材１７の弾発力によりリンク部材１５が変位する。すると、これに連結される第１操作部材１０も一方向Ｔへ変位し、あとは上述の如く、非粘着部Ｏが形成される。
【００１８】
しかる後、レバー部材１８は係止部２３による係止が解除されるようになっており、このとき、第２弾性部材１９によって元位置に復帰させられると共に、レバー部材１８が復帰すると、これに伴ってリンク部材１５が先とは反対方向へ変位し、これに伴って第１操作部材１０も反対方向Ｕへ変位して待機位置に復帰する。さらに、第１操作部材１０が復帰すると、上述の如く、第２カッター刃部材４も付勢により元の待機位置に復帰して第１カッター刃部材３の刃先３ａと揃う状態になり、全体の系統がレバー部材１８を操作する前の状態に戻り、粘着テープＮの次の切断が可能となる。
【００１９】
この場合、前記係止部２３は、前記リンク部材１５の変位に伴って押し込まれるよう、テープカッター本体１の表面から出退自在に構成されるのが好ましい。かかる構成によれば、第１弾性部材１７の弾発力によりリンク部材１５が変位した際、係止部２３が押し込まれてレバー部材１８の係止を自動的に解除するようになり、一連の動作が自動化される。
【発明の効果】
【００２０】
以上のように、本発明によれば、粘着テープ切断の際、第２カッター刃部材が自動的に折り返されるようになっているので、簡単に三角形状の非粘着部を形成することができる。また、該第２カッター刃部材が全切断されていない状態の粘着テープのうちの既に切断されている部分のみを折り返すことにより、確実に三角形状の非粘着部を形成することができる。
【発明を実施するための最良の形態】
【００２１】
以下、本発明に係る折り返し機能付きテープカッター（以下、単に「テープカッター」という）の一実施形態について、図面を参酌しつつ説明する。
【００２２】
図１に示す如く、本実施形態に係るテープカッターは、粘着テープＮのロールを保持する保持部１ａ及びヘッダー部１ｂを有するテープカッター本体１と、該ヘッダー部１ｂの先端に支持され、テープカッター本体１に対し、引き出される粘着テープＮの粘着面と直交する方向Ｐ（より正確には、粘着面と反対側の面方向、以下「作用方向」という）に相対変位可能なカッター刃部材２とを備える。
【００２３】
カッター刃部材２は、主たる刃先３ａを有する第１カッター刃部材３と、該第１カッター刃部材３に回転可能に支持され、第１カッター刃部材３の刃先３ａとで一体的に構成される従たる刃先４ａを有する第２カッター刃部材４とで構成される。
【００２４】
図２も併せて参照してさらに詳しく説明すると、第１カッター刃部材３は、横長方形状の刃先側の一つの角部（正確には、粘着テープＮの粘着面側から見て左側の角部）が三角形状に切り欠かれた直角台形状を有する板状体であり、基端部がヘッダー部１ｂの先端にピン軸５を介して軸支され、所定角度（約５度）範囲で回転可能である。
【００２５】
但し、第１カッター刃部材３は、その基端部側の端面に対し、ヘッダー部１ｂの先端に挿入された付勢球６（図１参照）が当接するようになっており、常時は前記作用方向Ｐ（第１カッター刃部材３の上面方向、図２では、紙面と直交する奥方向）とは反対方向Ｑ（第１カッター刃部材３の下面方向、図２では、紙面と直交する手前方向、以下、「復帰方向」という）に付勢されている。第１カッター刃部材３の下面は、粘着テープＮの粘着面と反対側の面が摺接する領域であり、そのため、第１カッター刃部材３は、常時は付勢球６の付勢により復帰方向Ｑの位置に維持されているが、粘着テープＮをカッター刃で切断する際は、持ち上げられる粘着テープＮからの反力により、付勢球６の付勢に抗して作用方向Ｐに回転変位するようになっている。
【００２６】
第２カッター刃部材４は、第１カッター刃部材３の切り欠かれた領域に相当する三角形状を有する板状体であり、その斜辺を第１カッター刃部材３の切り欠かれた斜辺部分に合わせて蝶番にて軸支されている。従って、第１カッター刃部材３及び第２カッター刃部材４は、横長方形状を呈する。また、蝶番にはねじりバネ７が介設されており、図３に示す如く、第２カッター刃部材４は、常時はねじりバネ７により方向Ｒ（第１カッター刃部材３の下面と第２カッター刃部材４の下面とが面一になる方向、以下、「復帰方向」という）に付勢され、しかも、第１カッター刃部材３の上面に形成されたストッパー部３ｂとの当接により、刃先４ａが第１カッター刃部材３の刃先３ａと揃う位置に維持されている。
【００２７】
しかし、図４に示す如く、ねじりバネ７の付勢に抗して反対方向Ｓ（以下、「作用方向」という）に押動すると、第１カッター刃部材３の下面に当接するよう折り返すことができる。尚、第２カッター刃部材４を第１カッター刃部材３の下面に向けて折り返した際に両者が直接接触するのを防止するための緩衝材として、第１カッター刃部材３の下面の該当箇所にスポンジ８が貼付されている（図２参照）。
【００２８】
また、図１に戻り、本実施形態に係るテープカッターは、テープカッター本体１のヘッダー部１ｂに相対変位可能に支持される第１操作部材１０と、第１カッター刃部材３に回転可能に支持され、第１操作部材１０と協同して変位する第２操作部材１１とを備える。
【００２９】
図３及び図４に示す如く、第１操作部材１０は、アルミ製の偏平な部材であり、ヘッダー部１ｂの先端に形成された横長のスリット１ｂ’に収められる。そして、該スリット１ｂ’を貫通するようにしてヘッダー部１ｂに嵌入されたピン軸１２が第１操作部材１０の途中部を貫通することにより、第１操作部材１０は、ピン軸１２を介してヘッダー部１ｂに軸支される。
【００３０】
より詳しくは、第１操作部材１０は、第１カッター刃部材３の上面（下面）と平行な面に沿って回転可能であり、一端部１０ａが第２カッター刃部材３へ接近する一方向Ｔ（以下、「作用方向」という）と、一端部１０ａが第２カッター刃部材３から離間する反対方向Ｕ（以下、「復帰方向」という）とに回転変位可能である。
【００３１】
第２操作部材１１は、アルミ製の偏平な部材であり、第１カッター刃部材３の上面に形成されたスリット３ｃに一端部１１ａが収められる。そして、該スリット３ｃを貫通するようにして第１カッター刃部材３に嵌入されたピン軸１３が第２操作部材１１の一端部１１ａを貫通することにより、第２操作部材１１は、ピン軸１３を介して第１カッター刃部材３に軸支される。
【００３２】
より詳しくは、第２操作部材１１は、第１カッター刃部材３の上面（下面）と垂直な面に沿って回転可能であり、且つ、その回転軸１３は、第２カッター刃部材４の回転軸と平行であり、他端部１１ｂが作用方向Ｓと復帰方向Ｒとに回転変位可能である。
【００３３】
また、第１操作部材１０の一端部１０ａは、第２操作部材１１の一端部１１ａ側であって、回転中心１３から離間した位置に当接するようになっているため、第１操作部材１０が作用方向Ｔへ変位すると、第２操作部材１１は押動され、その他端部１１ｂが作用方向Ｓに回転する。しかも、第２操作部材１１の他端部１１ａは、第２カッター刃部材４の上面に当接するようになっているため、第２操作部材１１の他端部１１ｂが作用方向Ｓに回転すると、第２カッター刃部材４はねじりバネ７の付勢に抗して押動され、作用方向Ｓに回転して折り返される。
【００３４】
逆に、第１操作部材１０が復帰方向Ｕへ変位すると、第２操作部材１１による第２カッター刃部材４の付勢抑制状態が解除され、第２カッター刃部材４は復帰方向Ｒに回転して復帰すると共に、第２操作部材１１も押動され、復帰方向Ｒに回転して復帰する。
【００３５】
ここで、第１操作部材１０は、その途中部に凹状の被係合部（係合凹部）１０ｃを備え、これに対し、第１カッター刃部材３は、その上面に凸状の係合部（係合凸部）３ｄを備える。該係合部３ｄは、第１カッター刃部材３が復帰方向Ｑの位置にあり且つ第１操作部材１０も復帰方向Ｕの位置（待機位置）にある状態（図３の状態）で、被係合部１０ｃ内に入り、係合するようになっており、係合部３ｄが被係合部１０ｃと係合する限りにおいては、第１操作部材１０（ひいては、第２操作部材１１、第２カッター刃部材４）は変位不能である。
【００３６】
逆に、第１カッター刃部材３が作用方向Ｐへ変位すると、係合部３ｄは被係合部１０ｃ内から外れるので、両者の係合が解除され、第１操作部材１０（ひいては、第２操作部材１１、第２カッター刃部材４）は変位可能となる。尚、その際は、係合部３ｄは第１操作部材１０の回転範囲よりも下方に位置しているため、第１操作部材１０は、係合部３ｄの上を通って作用方向Ｔへ変位することとなる。
【００３７】
また、図１に戻り、本実施形態に係るテープカッターは、第１操作部材１０に対し、第１操作部材１０が作用方向Ｔへ変位するよう付勢する付勢手段と、作用方向Ｔへ変位した第１操作部材１０を復帰方向Ｕへ変位させて待機位置に復帰させる復帰手段とを備える。
【００３８】
具体的には、本実施形態に係るテープカッターは、第１操作部材１０に作動的に連結されるリンク部材１５と、該リンク部材１５に挿通され、リンク部材１５に対し、長手方向に沿ってスライド可能な受け部材１６と、該受け部材１６を第１操作部材１０側へ付勢する圧縮バネ等からなる第１弾性部材１７と、該第１弾性部材１７の付勢に抗して受け部材１６を変位させるためのレバー部材１８と、該レバー部材１８を元位置に復帰させるための引っ張りバネ等からなる第２弾性部材１９とを備える。
【００３９】
リンク部材１５は、一端部が第１操作部材１０の他端部１０ｂに回転可能に連結され、他端部に軸部１５ａを備える長尺体である。そして、テープカッター本体１のヘッダー部１ｂの側面に一定間隔を有して配置された一対のガイド部材２１，２１間にリンク部材１５が配置され、該リンク部材１５に長手方向に沿って形成された長孔を通してビス２０をヘッダー部１ｂに固定することにより、リンク部材１５は、粘着テープＮの引き出し方向に沿って所定範囲で直線変位可能である。
【００４０】
リンク部材１５の軸部１５ａには、第１操作部材１０からその離間方向の順で、レバー部材１８の一端部１８ａ、受け部材１６、第１弾性部材１７が挿通される。受け部材１６は、フランジ形状を有する筒体であり、一部がレバー部材１８の一端部１８ａに形成された孔に挿入される。
【００４１】
また、リンク部材１５の軸部１５ａの端部は膨大部となっており、該膨大部と受け部材１６との間に第１弾性部材１７が抜け止め状態で介在する。従って、レバー部材１８の一端部１８ａが第１操作部材１０から離間する方向（以下、「作用方向」という）へ変位すれば、これに伴って受け部材１６も変位し、第１弾性部材１７を圧縮させる。
【００４２】
レバー部材１８は、途中部がビス２２によってテープカッター本体１に回転可能に支持されており、上述の如く、一端部１８ａが受け部材１６と係合し、他端部１８ｂはテープカッター本体１の保持部１ａ内に位置するようになっている。
【００４３】
第２弾性部材１９は、一端がヘッダー部１ｂ（より正確には、ガイド部材２１に形成された引掛け部）に係止され、他端がレバー部材１８の一端部１８ａであって、受け部材１６との係合位置から離間した位置に係止されるようになっており、一端部１８ａが第１操作部材１０に接近する方向（以下、「復帰方向」という）へ変位するよう付勢している。
【００４４】
従って、図５に示す状態から、レバー部材１８の他端部１８ｂを引けば、図６に示す如く、一端部１８ａが作用方向へ変位し、これに伴って受け部材１６も作用方向へ変位し、第１弾性部材１７は圧縮される。なぜ、第１弾性部材１７の弾発力によって軸部１５ａの膨張部に対して作用方向の力が作用し、第１弾性部材１７が圧縮されることなく、リンク部材１５も変位しないかというと、第１操作部材１０は第１カッター刃部材３（の係合部３ｄ）との係合により変位不能となっており、そのため、該第１操作部材１０に連結されるリンク部材１５も変位不能となっているからである。
【００４５】
さらに、図６の状態を維持するため、テープカッター本体１は、図７に示す係止部２３を備える。該係止部２３は、テープカッター本体１の表面から出退自在に構成された突起であり、常時は表面から進出するよう付勢されている。係止部２３は、第１操作部材１０からその離間方向にかけて、次第に突出量が増加する傾斜面２３ａと、該傾斜面２３ａから垂下する直面２３ｂとを備え、該直面２３ｂにレバー部材１８の一端部１８ａが係止されることで、図６の状態、即ち、レバー部材１８の一端部１８ａが作用方向の位置に維持される。
【００４６】
また、係止部２３は、後述する理由により第１操作部材１０が第１カッター刃部材３（の係合部３ｄ）との係合が外れて作用方向Ｔへ変位し、これに伴い、リンク部材１５が圧縮されたままである第１弾性部材１７の付勢抑制状態の解除によって作用方向に変位した際（これにより、連結される第１操作部材１０も必然的に作用方向Ｔへ変位させられる）、該リンク部材１５の下面に次第に押圧されてテープカッター本体１の表面から退避するようになり、これにより、係止部２３によるレバー部材１８の一端部１８ａの係止が解除されるようになっている。
【００４７】
すると、引っ張られたままである第２弾性部材１９の付勢抑制状態は解除され、レバー部材１８は、元位置に復帰する。この際、係止部２３はレバー部材１８の一端部１８ａの回転範囲よりも下方に位置しているため、レバー部材１８の一端部１８ａは、係止部２３の上を通って変位し復帰し、これに伴ってリンク部材１５もレバー部材１８の一端部１８ａに押されて復帰方向に変位し復帰することとなる（これにより、連結される第１操作部材１０も必然的に復帰方向Ｕへ変位させられる）。
【００４８】
これらからわかるように、本実施形態においては、第１操作部材１０に対し、第１操作部材１０が作用方向Ｔへ変位するよう付勢する前記付勢手段は、リンク部材１５、受け部材１６、第１弾性部材１７、レバー部材１８、係止部２３で構成され、作用方向Ｔへ変位した第１操作部材１０を復帰方向Ｕへ変位させて待機位置に復帰させる前記復帰手段は、リンク部材１５、レバー部材１８、第２弾性部材１９で構成される。
【００４９】
本実施形態に係るテープカッターは以上の構成からなり、次に、ロール状に巻回された粘着テープＮを引き出して切断する際、切断端の角部のみを折り返して三角形状の非粘着部を形成する動作説明を行う。
【００５０】
まず、粘着テープＮの切断端の角部を折り返して三角形状の非粘着部を形成したい場合は、ロールから引き出された粘着テープＮを切断するのに先立って、レバー部材１８を引いておく。すると、図８（イ）に示す如く、カッター刃部材２（第１カッター刃部材３及び第２カッター刃部材４）、第１操作部材１０、第２操作部材１１及びリンク部材１５は復帰方向の位置（待機位置）に維持され、且つ、カッター刃部材２は刃先が揃った状態に維持されるものの、第１弾性部材１７は圧縮され、第１操作部材１０及びリンク部材１５に対して作用方向に付勢し得る状態にある。しかし、第１操作部材１０は第１カッター刃部材３の係合部３ｄと係合しているのでそれは実現されていない。さらに、第２弾性部材１９は引っ張られ、レバー部材１８に対して復帰方向に付勢し得る状態にあるが、レバー部材１８が係止部２３に係止されているのでそれは実現されていない。
【００５１】
同図（ロ）は、粘着テープＮの粘着面側から見た図であるが、かかる状態から粘着テープＮの切断を第２カッター刃部材４から開始する。この際、第２カッター刃部材４は、持ち上げられる粘着テープＮからの反力により、復帰方向に付勢されるが、第１カッター刃部材３のストッパー部３ｂあるいは第２操作部材１１の他端部１１ｂとの当接を受けているため、その反力が吸収されて姿勢は維持され、粘着テープＮの切断が可能である。
【００５２】
そして、切断が進み、第１カッター刃部材３の刃先３ａにかかると、第１カッター刃部材３は、持ち上げられる粘着テープＮからの反力により、付勢球６の付勢に抗して作用方向に変位する。すると、第１カッター刃部材３の係合部３ｄと第１操作部材１０の被係合部１０ｃとの係合が解除され、これにより、第１弾性部材１７の付勢抑制状態が解除され、これにより、リンク部材１５、第１操作部材１０が作用方向に変位する。すると、図９（イ）及び（ロ）に示す如く、第１操作部材１０の変位に伴う押動により第２操作部材１１が作用方向に変位し、該第２操作部材１１の変位に伴う押動により第２カッター刃部材４が作用方向に回転して折り返され、そのため、粘着テープＮのうちの既に切断されている部分も同時に折り返されて、非粘着部Ｏが形成されることとなる。
【００５３】
また、この際、リンク部材１５が作用方向に変位することにより、係止部２３はテープカッター本体１の表面から押し込まれ、これにより、レバー部材１８の係止は解除される。この結果、第２弾性部材１９の付勢抑制状態が解除されてレバー部材１８は復帰方向に変位する。そして、レバー部材１８の変位に伴う押動によりリンク部材１５が復帰方向に変位し、さらに、該リンク部材１５の変位に伴う押動により第１操作部材１０も復帰方向に変位する。すると、図１０（イ）及び（ロ）に示す如く、ねじりバネ７の付勢抑制状態が解除され、これにより、第２カッター刃部材４が復帰方向に変位し、該第２カッター刃部材４の変位に伴う押動により第２操作部材１１も復帰方向に変位して、全体の系統がレバー部材１８を引く前の状態に戻る。従って、粘着テープＮの切断を完了すれば、次の粘着テープＮを切断することが可能な状態となる。その際、また非粘着部Ｏを形成したければ、再度レバー部材１８を引けばよい。
【００５４】
切断端の角部に非粘着部Ｏを形成したくない場合は、レバー部材１８を引かなければよい。レバー部材１８を引かなければ、第２操作部材１１は作用方向に変位しようがないので、第２カッター刃部材４は折り返されないからである。
【００５５】
このように、本実施形態に係るテープカッターは、レバー部材１８を引くだけで、粘着テープ切断の際、第２カッター刃部材４が自動的に折り返されるようになっているので、簡単に非粘着部Ｏを形成することができる。しかも、第２カッター刃部材４が全切断されていない粘着テープＮのうちの既に切断されている部分のみを折り返すことにより、確実に非粘着部Ｏを形成することができる。さらに、折返し機構は粘着テープＮの切断中に自動的に元の状態に復帰するようになっているので、やはりレバー部材１８を引くだけで済み、作業が非常に楽である。また、レバー部材１８を引かないで粘着テープＮを切断すれば、非粘着部Ｏは形成されないので、非粘着部Ｏを形成するか否かを簡単に切り替えることができる。
【００５６】
尚、本発明に係るテープカッターは、上記実施形態に限定されるものではなく、本発明の要旨を逸脱しない範囲で種々の変更が可能である。
【００５７】
例えば、上記実施形態においては、操作部材を第１操作部材１０と第２操作部材１１とに分けて構成しているが、第１操作部材１０だけであってもよい。具体例としては、第１操作部材１０の一端部側に可撓部を設け、これを第２カッター刃部材４の上面に接触しておくようにすれば、第１操作部材１０の作用方向への変位によって可撓部が第２カッター刃部材４を作用方向に回転させて折り返すことができる。
【００５８】
また、上記実施形態においては、保持部１ａと、カッター刃を有するヘッダー部１ｂとを一体的に構成しているが、それぞれ別々にしてもよい。具体例としては、粘着テープＮのロールを一部収容できる空間部を有すると共にヘッダー部を有する本体を構成し、粘着テープＮのロールを保持したドラムをこの本体の空間部に配置するといった従来からよく見かけられるタイプのテープカッターであってもよい。
【００５９】
また、上記実施形態においては、第１カッター刃部材３及び第１操作部材１０は、回転変位するようになっているが、これに限定されず、例えば直線変位等、その他の変位態様を採用することができる。
【００６０】
また、上記実施形態においては、レバー部材１８の引き操作を人為的に行っているが、例えば粘着テープを切断する度に、レバー部材が自動的に操作されるようにしてもよい。
【図面の簡単な説明】
【００６１】
【図１】本実施形態に係るテープカッターの外観斜視図を示す。
【図２】同実施形態に係るカッター刃部材の裏面図を示す。
【図３】同実施形態に係る折返し機能部の拡大斜視図であって、セット前状態（中立状態）を示す。
【図４】同実施形態に係る折返し機能部の拡大斜視図であって、第２カッター刃部材の作用状態を示す。
【図５】同実施形態に係る折返し機能部の拡大側面図であって、セット前状態（中立状態）を示す。
【図６】同実施形態に係る折返し機能部の拡大側面図であって、セット状態（待機状態）を示す。
【図７】同実施形態に係る付勢手段の要部拡大側面図である。
【図８】同実施形態に係るテープカッターを用いた切断動作の説明図であって、レバー部材のセット状態（待機状態）を示す。
【図９】同実施形態に係るテープカッターを用いた切断動作の説明図であって、第２カッター刃部材の作用状態を示す。
【図１０】同実施形態に係るテープカッターを用いた切断動作の説明図であって、レバー部材のセット前状態を示す。
【図１１】従来のテープカッターの説明図を示す。
【符号の説明】
【００６２】
１…テープカッター本体、１ａ…保持部、１ｂ…ヘッダー部、１ｂ’…スリット、２…カッター刃部材、３…第１カッター刃部材、３ａ…刃先、３ｂ…ストッパー部、３ｃ…スリット、３ｄ…係合部、４…第２カッター刃部材、４ａ…刃先、５…ピン軸、６…付勢球、７…ねじりバネ、８…スポンジ（緩衝材）、１０…第１操作部材、１０ａ…一端部、１０ｂ…他端部、１０ｃ…被係合部（係合凹部）、１１…第２操作部材、１１ａ…一端部、１１ｂ…他端部、１２…ピン軸、１３…ピン軸、１５…リンク部材、１５ａ…軸部、１６…受け部材、１７…第１弾性部材、１８…レバー部材、１８ａ…一端部、１８ｂ…他端部、１９…第２弾性部材、２０…ビス、２１…ガイド部材、２２…ビス、２３…係止部、２３ａ…傾斜面、２３ｂ…直面、Ｎ…粘着テープ、Ｏ…非粘着部
【図１】
2006312531.tif 000003
【図２】
2006312531.tif 000004
【図３】
2006312531.tif 000005
【図４】
2006312531.tif 000006
【図５】
2006312531.tif 000007
【図６】
2006312531.tif 000008
【図７】
2006312531.tif 000009
【図８】
2006312531.tif 000010
【図９】
2006312531.tif 000011
【図１０】
2006312531.tif 000012
【図１１】
2006312531.tif 000013